(57)【要約】  本願は、免許不要周波数帯域における無線リンク監視測定の正確性を向上させることができる無線リンクの監視測定方法、端末デバイス及びネットワークデバイスを開示する。該方法は、端末デバイスが前記端末デバイスのチャネル品質に基づいて、第１のＲＬＭパラメータセット及び第２のＲＬＭパラメータセットから目標ＲＬＭパラメータセットを選択することと、前記端末デバイスが前記目標ＲＬＭパラメータセットに基づいて前記ＲＬＭを行うこととを含む。
2021531673.tif 000002
【特許請求の範囲】
【請求項１】
端末デバイスが前記端末デバイスのチャネル品質に基づいて、第１のＲＬＭパラメータセット及び第２のＲＬＭパラメータセットから目標ＲＬＭパラメータセットを選択することと、
前記端末デバイスが前記目標ＲＬＭパラメータセットに基づいて前記ＲＬＭを行うこととを含む
ことを特徴とする無線リンクの監視測定ＲＬＭ方法。
【請求項２】
前記第１のＲＬＭパラメータセットと前記第２のＲＬＭパラメータセットは、
ＲＬＭの評価周期、同期ＩＳ指示を報告するか否かを決定するための同期閾値Ｑｉｎ、同期外れＯＯＳ指示を報告するか否かを決定するための同期外れ閾値Ｑｏｕｔ、タイマＴ３１０を開始するか否かを判断するために連続的に報告するＯＯＳ指示の数を記録するためのカウンターＮ３１０、及びタイマＴ３１０がタイムアウトする前にタイマＴ３１０を停止するか否かを判断するために連続的に報告するＩＳ指示の数を記録するためのカウンターＮ３１１のうちの少なくとも１つパラメータを含み、
前記第１のＲＬＭパラメータセットに含まれるパラメータと前記第２のＲＬＭパラメータセットに含まれるパラメータとは、少なくとも１つパラメータが異なる
ことを特徴とする請求項１に記載の無線リンクの監視測定ＲＬＭ方法。
【請求項３】
前記端末デバイスが前記端末デバイスのチャネル品質に基づいて第１のＲＬＭパラメータセット及び第２のＲＬＭパラメータセットから目標ＲＬＭパラメータセットを選択することは、
前記端末デバイスのチャネル品質の測定値が第１の閾値以上である場合、前記端末デバイスが前記第１のＲＬＭパラメータセットを前記目標ＲＬＭパラメータセットとして選択することを含み、及び／又は、
前記端末デバイスのチャネル品質の測定値が前記第１の閾値以下である場合、前記端末デバイスが前記第２のＲＬＭパラメータセットを前記目標ＲＬＭパラメータセットとして選択することを含む
ことを特徴とする請求項１又は２に記載の無線リンクの監視測定ＲＬＭ方法。
【請求項４】
前記第１のＲＬＭパラメータセットにおけるカウンターＮ３１０の設定値が前記第２のＲＬＭパラメータセットにおけるカウンターＮ３１０の設定値よりも大きく、及び／又は、
前記第１のＲＬＭパラメータセットにおけるカウンターＮ３１１の設定値が前記第２のＲＬＭパラメータセットにおけるカウンターＮ３１１の設定値よりも小さく、及び／又は、
前記第１のＲＬＭパラメータセットにおけるタイマＴ３１０の時間長が前記第１のＲＬＭパラメータセットにおけるタイマＴ３１０の時間長よりも大きい
ことを特徴とする請求項３に記載の無線リンクの監視測定ＲＬＭ方法。
【請求項５】
前記端末デバイスのチャネル品質の測定値は、
参照信号受信電力ＲＳＲＰ、参照信号受信品質ＲＳＲＱ、参照信号の信号対干渉プラス雑音比ＲＳ−ＳＩＮＲのうちの少なくとも１つを含む
ことを特徴とする請求項３又は４に記載の無線リンクの監視測定ＲＬＭ方法。
【請求項６】
前記端末デバイスのチャネル品質の測定値は、前記端末デバイスが所定期間に測定した前記端末デバイスのチャネル品質の複数の測定値の平均値である
ことを特徴とする請求項３〜５のいずれか１項に記載の無線リンクの監視測定ＲＬＭ方法。
【請求項７】
前記方法は、さらに、
前記端末デバイスが構成情報を取得することを含み、
前記構成情報は、第１の閾値、前記第１のＲＬＭパラメータセット及び前記第２のＲＬＭパラメータセットのうちの少なくとも１つを含む
ことを特徴とする請求項１〜６のいずれか１項に記載の無線リンクの監視測定ＲＬＭ方法。
【請求項８】
前記端末デバイスが構成情報を取得することは、
前記端末デバイスがネットワークデバイスにより送信された前記構成情報を受信すること、又は、
前記端末デバイスが前記端末デバイスに予め記憶された前記構成情報を取得することを含む
ことを特徴とする請求項７に記載の無線リンクの監視測定ＲＬＭ方法。
【請求項９】
前記端末デバイスが前記目標ＲＬＭパラメータセットに基づいて前記ＲＬＭを行うことは、
前記端末デバイスがＳＩＮＲ測定を行うことと、
前記ＳＩＮＲの測定値が前記同期閾値Ｑｉｎよりも大きい場合、前記端末デバイスの物理層が前記端末デバイスの上位層に前記ＩＳ指示を報告することと、
前記ＳＩＮＲの測定値が前記同期外れ閾値Ｑｏｕｔよりも小さい場合、前記端末デバイスの物理層が前記端末デバイスの上位層に前記ＯＯＳ指示を報告することとを含む
ことを特徴とする請求項１〜８のいずれか１項に記載の無線リンクの監視測定ＲＬＭ方法。
【請求項１０】
前記端末デバイスが前記目標ＲＬＭパラメータセットに基づいて前記ＲＬＭを行うことは、さらに、
前記端末デバイスの上位層が前記端末デバイスの物理層から連続的に受信したＯＯＳ指示の数が前記タイマＮ３１０の設定値に達した場合、前記端末デバイスの上位層が前記タイマＴ３１０を開始することと、
前記タイマＴ３１０がタイムアウトする前に、前記端末デバイスの上位層が前記端末デバイスの物理層から連続的に受信したＩＳ指示の数が前記タイマＮ３１１の設定値に達した場合、前記端末デバイスの上位層が前記タイマＴ３１０を停止することと、
前記タイマＴ３１０がタイムアウトする前に、前記端末デバイスの上位層が前記端末デバイスの物理層から連続的に受信したＩＳ指示の数が前記タイマＮ３１１の設定値に達してない場合、前記端末デバイスが無線リンク失敗ＲＬＦを決定することとを含む
ことを特徴とする請求項１〜９のいずれか１項に記載の無線リンクの監視測定ＲＬＭ方法。
【請求項１１】
ネットワークデバイスが構成情報を決定し、前記構成情報が第１のＲＬＭパラメータセット及び第２のＲＬＭパラメータセットを含み、前記第１のＲＬＭパラメータセットと前記第２のＲＬＭパラメータセットとは、前記端末デバイスが前記端末デバイスのチャネル品質に基づいて前記ＲＬＭを行うための目標ＲＬＭパラメータセットを選択するために使用されることと、
前記ネットワークデバイスが前記端末デバイスに前記構成情報を送信することとを含む
ことを特徴とする無線リンクの監視測定ＲＬＭ方法。
【請求項１２】
前記第１のＲＬＭパラメータセットと前記第２のＲＬＭパラメータセットは、
ＲＬＭの評価周期、同期ＩＳ指示を報告するか否かを決定するための同期閾値Ｑｉｎ、同期外れＯＯＳ指示を報告するか否かを決定するための同期外れ閾値Ｑｏｕｔ、タイマＴ３１０を開始するか否かを判断するために連続的に報告するＯＯＳ指示の数を記録するためのカウンターＮ３１０、及びタイマＴ３１０がタイムアウトする前にタイマＴ３１０を停止するか否かを判断するために連続的に報告するＩＳ指示の数を記録するためのカウンターＮ３１１のうちの少なくとも１つパラメータを含み、
前記第１のＲＬＭパラメータセットに含まれるパラメータと前記第２のＲＬＭパラメータセットに含まれるパラメータとは、少なくとも１つパラメータが異なる
ことを特徴とする請求項１１に記載の無線リンクの監視測定ＲＬＭ方法。
【請求項１３】
前記構成情報が第１の閾値をさらに含み、前記第１の閾値は、前記端末デバイスが前記端末デバイスのチャネル品質の測定値が第１の閾値以上である場合に前記第１のＲＬＭパラメータセットを前記目標パラメータセットとして選択し、及び／又は、前記端末デバイスのチャネル品質の測定値が前記第１の閾値以下である場合に前記第１のＲＬＭパラメータセットを前記目標パラメータセットとして選択するために使用される
ことを特徴とする請求項１１又は１２に記載の無線リンクの監視測定ＲＬＭ方法。
【請求項１４】
前記第１のＲＬＭパラメータセットにおけるカウンターＮ３１０の設定値が前記第２のＲＬＭパラメータセットにおけるカウンターＮ３１０の設定値よりも大きく、及び／又は、
前記第１のＲＬＭパラメータセットにおけるカウンターＮ３１１の設定値が前記第２のＲＬＭパラメータセットにおけるカウンターＮ３１１の設定値よりも小さく、及び／又は、
前記第１のＲＬＭパラメータセットにおけるタイマＴ３１０の時間長が前記第１のＲＬＭパラメータセットにおけるタイマＴ３１０の時間長よりも大きい
ことを特徴とする請求項１３に記載の無線リンクの監視測定ＲＬＭ方法。
【請求項１５】
処理ユニットと、リンク監視検定ユニットと、を備える端末デバイスであって、
前記処理ユニットは、前記端末デバイスのチャネル品質に基づいて、第１のＲＬＭパラメータセット及び第２のＲＬＭパラメータセットから目標ＲＬＭパラメータセットを選択するように構成され、
前記リンク監視検定ユニットは、前記処理ユニットにより選択された前記目標ＲＬＭパラメータセットに基づいて前記ＲＬＭを行うように構成される
ことを特徴とする端末デバイス。
【請求項１６】
前記第１のＲＬＭパラメータセットと前記第２のＲＬＭパラメータセットは、
ＲＬＭの評価周期、同期ＩＳ指示を報告するか否かを決定するための同期閾値Ｑｉｎ、同期外れＯＯＳ指示を報告するか否かを決定するための同期外れ閾値Ｑｏｕｔ、タイマＴ３１０を開始するか否かを判断するために連続的に報告するＯＯＳ指示の数を記録するためのカウンターＮ３１０、及びタイマＴ３１０がタイムアウトする前にタイマＴ３１０を停止するか否かを判断するために連続的に報告するＩＳ指示の数を記録するためのカウンターＮ３１１のうちの少なくとも１つパラメータを含み、
前記第１のＲＬＭパラメータセットに含まれるパラメータと前記第２のＲＬＭパラメータセットに含まれるパラメータとは、少なくとも１つパラメータが異なる
ことを特徴とする請求項１５に記載の端末デバイス。
【請求項１７】
前記処理ユニットは、
前記端末デバイスのチャネル品質の測定値が前記第１の閾値以上である場合、前記第１のＲＬＭパラメータセットを前記目標ＲＬＭパラメータセットとして選択し、及び／又は、
前記端末デバイスのチャネル品質の測定値が前記第１の閾値以下である場合、前記第２のＲＬＭパラメータセットを前記目標ＲＬＭパラメータセットとして選択するように構成される
ことを特徴とする請求項１５又は１６に記載の端末デバイス。
【請求項１８】
前記第１のＲＬＭパラメータセットにおけるカウンターＮ３１０の設定値が前記第２のＲＬＭパラメータセットにおけるカウンターＮ３１０の設定値よりも大きく、及び／又は、
前記第１のＲＬＭパラメータセットにおけるカウンターＮ３１１の設定値が前記第２のＲＬＭパラメータセットにおけるカウンターＮ３１１の設定値よりも小さく、及び／又は、
前記第１のＲＬＭパラメータセットにおけるタイマＴ３１０の時間長が前記第１のＲＬＭパラメータセットにおけるタイマＴ３１０の時間長よりも大きい
ことを特徴とする請求項１７に記載の端末デバイス。
【請求項１９】
前記端末デバイスのチャネル品質の測定値は、
参照信号受信電力ＲＳＲＰ、参照信号受信品質ＲＳＲＱ、参照信号の信号対干渉プラス雑音比ＲＳ−ＳＩＮＲのうちの少なくとも１つを含む
ことを特徴とする請求項１７又は１８に記載の端末デバイス。
【請求項２０】
前記端末デバイスのチャネル品質の測定値は、前記端末デバイスが所定期間に測定した前記端末デバイスのチャネル品質の複数の測定値の平均値である
ことを特徴とする請求項１７〜１９に記載の端末デバイス。
【請求項２１】
前記端末デバイスが取得ユニットをさらに含み、
前記取得ユニットは、構成情報を取得するように構成され、
前記構成情報は、第１の閾値、前記第１のＲＬＭパラメータセット及び前記第２のＲＬＭパラメータセットのうちの少なくとも１つを含む
ことを特徴とする請求項１５〜２０のいずれか１項に記載の端末デバイス。
【請求項２２】
前記端末デバイスが受信ユニットをさらに含み、
前記取得ユニットは、
前記受信ユニットを介してネットワークデバイスにより送信された前記構成情報を受信し、又は、
前記端末デバイスに予め記憶する前記構成情報を取得するように構成される
ことを特徴とする請求項２１に記載の端末デバイス。
【請求項２３】
前記端末デバイスが送信ユニットをさらに含み、
前記送信ユニットは、
前記ＳＩＮＲの測定値が前記同期閾値Ｑｉｎよりも大きい場合、前記ＩＳ指示を報告し、
前記ＳＩＮＲの測定値が前記同期外れ閾値Ｑｏｕｔよりも小さい場合、前記ＯＯＳ指示を報告するように構成される
ことを特徴とする請求項１５〜２２のいずれか１項に記載の端末デバイス。
【請求項２４】
前記リンク監視検定ユニットは、さらに、
前記端末デバイスの上位層が前記端末デバイス物理層からＮ３１０個のＯＯＳ指示を連続的に受信した場合、前記タイマＴ３１０を開始し、
前記タイマＴ３１０がタイムアウトする前に、前記端末デバイスの上位層が前記端末デバイスの物理層から連続的に受信したＩＳ指示の数が前記タイマＮ３１１の設定値に達した場合、前記端末デバイスの上位層が前記タイマＴ３１０を停止し、
前記タイマＴ３１０がタイムアウトする前に、前記端末デバイスの上位層が前記端末デバイスの物理層から連続的に受信したＩＳ指示の数が前記タイマＮ３１１の設定値に達してない場合、無線リンク失敗ＲＬＦを決定するように構成される
ことを特徴とする請求項１５〜２３のいずれか１項に記載の端末デバイス。
【請求項２５】
決定ユニットと、送信ユニットと、を備えるネットワークデバイスであって、
前記決定ユニットは、構成情報を決定するように構成され、前記構成情報が第１のＲＬＭパラメータセット及び第２のＲＬＭパラメータセットを含み、前記第１のＲＬＭパラメータセットと前記第２のＲＬＭパラメータセットとは、前記端末デバイスが前記端末デバイスのチャネル品質に基づいて前記ＲＬＭを行うための目標ＲＬＭパラメータセットを選択するために使用され、
前記送信ユニットは、端末デバイスに前記決定ユニットにより決定された前記構成情報を送信するように構成される
ことを特徴とするネットワークデバイス。
【請求項２６】
前記第１のＲＬＭパラメータセットと前記第２のＲＬＭパラメータセットは、
ＲＬＭの評価周期、同期ＩＳ指示を報告するか否かを決定するための同期閾値Ｑｉｎ、同期外れＯＯＳ指示を報告するか否かを決定するための同期外れ閾値Ｑｏｕｔ、タイマＴ３１０を開始するか否かを判断するために連続的に報告するＯＯＳ指示の数を記録するためのカウンターＮ３１０、及びタイマＴ３１０がタイムアウトする前にタイマＴ３１０を停止するか否かを判断するために連続的に報告するＩＳ指示の数を記録するためのカウンターＮ３１１のうちの少なくとも１つパラメータを含み、
前記第１のＲＬＭパラメータセットに含まれるパラメータと前記第２のＲＬＭパラメータセットに含まれるパラメータとは、少なくとも１つパラメータが異なる
ことを特徴とする請求項２５に記載のネットワークデバイス。
【請求項２７】
前記構成情報が第１の閾値をさらに含み、前記第１の閾値は、前記端末デバイスが前記端末デバイスのチャネル品質の測定値が第１の閾値以上である場合に前記第１のＲＬＭパラメータセットを前記目標パラメータセットとして選択し、及び／又は、前記端末デバイスのチャネル品質の測定値が前記第１の閾値以下である場合に前記第１のＲＬＭパラメータセットを前記目標パラメータセットとして選択するために使用される
ことを特徴とする請求項２５又は２６に記載のネットワークデバイス。
【請求項２８】
前記第１のＲＬＭパラメータセットにおけるカウンターＮ３１０の設定値が前記第２のＲＬＭパラメータセットにおけるカウンターＮ３１０の設定値よりも大きく、及び／又は、
前記第１のＲＬＭパラメータセットにおけるカウンターＮ３１１の設定値が前記第２のＲＬＭパラメータセットにおけるカウンターＮ３１１の設定値よりも小さく、及び／又は、
前記第１のＲＬＭパラメータセットにおけるタイマＴ３１０の時間長が前記第１のＲＬＭパラメータセットにおけるタイマＴ３１０の時間長よりも大きい
ことを特徴とする請求項２７に記載のネットワークデバイス。
【請求項２９】
コンピュータプログラムを記憶するためのメモリと、前記メモリに記憶されたコンピュータプログラムを呼び出し実行して請求項１〜１０のいずれか１項に記載の方法を実行するためのプロセッサとを備える
ことを特徴とする端末デバイス。
【請求項３０】
コンピュータプログラムを記憶するためのメモリと、前記メモリに記憶されたコンピュータプログラムを呼び出し実行して請求項１１〜１４のいずれか１項に記載の方法を実行するためのプロセッサとを備える
ことを特徴とするネットワークデバイス。
【請求項３１】
コンピュータプログラムをメモリから呼び出し実行して、請求項１から１１のいずれか１項に記載の方法をチップが搭載されたデバイスに実行させるプロセッサを含む
ことを特徴とするチップ。
【請求項３２】
コンピュータプログラムをメモリから呼び出し実行して、請求項１２又は１３に記載の方法をチップが搭載されたデバイスに実行させるプロセッサを含む
ことを特徴とするチップ。
【請求項３３】
請求項１から１０のいずれか１項に記載の方法をコンピュータに実行させるコンピュータプログラムを記憶する
ことを特徴とするコンピュータ可読記憶媒体。
【請求項３４】
請求項１１から１４のいずれか１項に記載の方法をコンピュータに実行させるコンピュータプログラムを記憶する
ことを特徴とするコンピュータ可読記憶媒体。
【請求項３５】
請求項１から１０のいずれか１項に記載の方法をコンピュータに実行させるコンピュータプログラム命令を含む
ことを特徴とするコンピュータプログラム製品。
【請求項３６】
請求項１１から１４のいずれか１項に記載の方法をコンピュータに実行させるコンピュータプログラム命令を含む
ことを特徴とするコンピュータプログラム製品。
【請求項３７】
請求項１から１０のいずれか１項に記載の方法をコンピュータに実行させる
ことを特徴とするコンピュータプログラム。
【請求項３８】
請求項１１から１４のいずれか１項に記載の方法をコンピュータに実行させる
ことを特徴とするコンピュータプログラム。
【発明の詳細な説明】
【技術分野】
【０００１】
本願の実施例は、通信分野に関し、具体的に、無線リンクの監視測定（Ｒａｄｉｏ Ｌｉｎｋ Ｍｏｎｉｔｏｒｉｎｇ、ＲＬＭ）方法、端末デバイス及びネットワークデバイスに関する。
【背景技術】
【０００２】
新しいラジオ( Ｎｅｗ Ｒａｄｉｏ、ＮＲ )システム(または５Ｇシステム、５Ｇネットワークと呼ばれる)では、免許不要周波数帯域( ｕｎｌｉｃｅｎｓｅｄ ｆｒｅｑｕｅｎｃｙ ｂａｎｄｓ )上でのデータ伝送がサポートされ、通信デバイスは、免許不要周波数帯域上で通信する際に、ＬＢＴ( Ｌｉｓｔｅｎ Ｂｅｆｏｒｅ Ｔａｌｋ)原則に基づいている必要がある。例えば、基地局は、免許不要周波数帯域のチャネル上で端末デバイスに信号を送信する前に、チャネル検出を行う必要があり、チャネル検出結果がアイドルである場合にのみ信号送信を行うことができ、基地局が免許不要周波数帯域上でチャネル検出を行った結果がチャネルがビジーである場合、信号送信はできない。
【０００３】
端末デバイスは、無線リンク監視測定のために、免許不要周波数帯域上で基地局によって送信された参照信号を受信する。端末デバイスは、測定した参照信号の品質が悪い場合、基地局がチャネルがビジーで参照信号を送信できないのか、端末デバイスのチャネルの品質が悪いのかを知ることができなかった。この場合、この参照信号によるＲＬＭ測定結果は、実際のチャネル状況を正確に判断することができない。
【発明の概要】
【０００４】
本願の実施例は、免許不要周波数帯域における無線リンク監視測定の正確度を向上させることができる無線リンクの監視測定方法、端末デバイス及びネットワークデバイスを提供する。
【０００５】
第１の態様は、無線リンクの監視測定方法を提供し、端末デバイスが前記端末デバイスのチャネル品質に基づいて、第１のＲＬＭパラメータセット及び第２のＲＬＭパラメータセットから目標ＲＬＭパラメータセットを選択することと、前記端末デバイスが前記目標ＲＬＭパラメータセットに基づいて前記ＲＬＭを行うこととを含む。
【０００６】
第２の態様は、無線リンクの監視測定方法を提供し、ネットワークデバイスが構成情報を決定し、前記構成情報が第１のＲＬＭパラメータセット及び第２のＲＬＭパラメータセットを含み、前記第１のＲＬＭパラメータセットと前記第２のＲＬＭパラメータセットとは、前記端末デバイスが前記端末デバイスのチャネル品質に基づいて前記ＲＬＭを行うための目標ＲＬＭパラメータセットを選択するために使用されることと、前記ネットワークデバイスが前記端末デバイスに前記構成情報を送信することとを含む。
【０００７】
第３の態様は、上記第１の態様または第１の態様の任意の選択可能な実装における方法を実行することができる端末デバイスが提供される。具体的には、端末デバイスは、上記の第１の態様または第１の態様の任意の可能な実装形態における方法を実行するための機能モジュールを含み得る。
【０００８】
第４の態様は、上記第２の態様または第２の態様の任意の選択可能な実装における方法を実行することができる端末デバイスが提供される。具体的には、端末デバイスは、上記の第２の態様または第２の態様の任意の可能な実装形態における方法を実行するための機能モジュールを含み得る。
【０００９】
第５の態様は、プロセッサとメモリとを含む端末デバイスを提供する。メモリは、コンピュータプログラムを記憶し、プロセッサは、メモリに記憶されたコンピュータプログラムを呼び出して実行し、上述の第１の態様または第１の態様の可能な実施態様のいずれかにおける方法を実行する。
【００１０】
第６の態様は、プロセッサとメモリとを含むネットワークデバイスを提供する。メモリは、コンピュータプログラムを記憶し、プロセッサは、メモリに記憶されたコンピュータプログラムを呼び出して実行し、上述の第２の態様または第２の態様の可能な実施態様のいずれかにおける方法を実行する。
【００１１】
第７の態様は、上記の第１の態様または第１の態様の任意の可能な実装における方法を実装するためのチップを提供する。具体的には、チップは、コンピュータプログラムをメモリから呼び出して実行し、チップが搭載されたデバイスに、上記の第１の態様または第１の態様の任意の可能な実装形態における方法を実行させるプロセッサを含む。
【００１２】
第８の態様は、上記の第２の態様または第２の態様の任意の可能な実装における方法を実装するためのチップを提供する。具体的には、チップは、コンピュータプログラムをメモリから呼び出して実行し、チップが搭載されたデバイスに、上記の第２の態様または第２の態様の任意の可能な実装形態における方法を実行させるプロセッサを含む。
【００１３】
第９の態様は、コンピュータに、上述の第１の態様または第１の態様の可能な実装のいずれかにおける方法を実行させるコンピュータプログラムを記憶するためのコンピュータ可読記憶媒体を提供する。
【００１４】
第１０の態様は、コンピュータに、上述の第２の態様または第２の態様の可能な実装のいずれかにおける方法を実行させるコンピュータプログラムを記憶するためのコンピュータ可読記憶媒体を提供する。
【００１５】
第１１の態様は、コンピュータに、上述の第１の態様または第１の態様の任意の可能な実装形態における方法を実行させるコンピュータプログラム命令を含むコンピュータプログラム製品を提供する。
【００１６】
第１２の態様は、コンピュータに、上述の第２の態様または第２の態様の任意の可能な実装形態における方法を実行させるコンピュータプログラム命令を含むコンピュータプログラム製品を提供する。
【００１７】
第１３の態様は、コンピュータ上で実行されると、コンピュータに、上記の第１の態様または第１の態様の可能な実装のいずれかにおける方法を実行させるコンピュータプログラムを提供する。
【００１８】
第１４の態様は、コンピュータ上で実行されると、コンピュータに、上記の第２の態様または第２の態様の可能な実装のいずれかにおける方法を実行させるコンピュータプログラムを提供する。
【００１９】
上記の技術的解決策により、端末デバイスは、そのチャネル品質に基づいて、異なるＲＬＭパラメータセットから、無線リンク監視測定のための目標ＲＬＭパラメータセットを選択し、それにより、この目標ＲＬＭパラメータセットの各パラメータに基づいて無線リンク監視測定を行い、したがって、免許不要周波数帯域におけるＲＬＭ測定の正確度を向上する。
【図面の簡単な説明】
【００２０】
【図１】本願の実施例に応用される無線通信システムの模式図である。
【図２】本願の実施例における無線リンクの監視測定方法のフローチャートである。
【図３】本願の他の実施例における無線リンクの監視測定方法のフローチャートである。
【図４】本願の他の実施例における端末デバイスのブロック図である。
【図５】本願の他の実施例におけるネットワークデバイスのブロック図である。
【図６】本願の他の実施例における通信デバイスの構成図である。
【図７】本願の他の実施例におけるチップの構成図である。
【図８】本願の他の実施例における通信システムのブロック図である。
【発明を実施するための形態】
【００２１】
以下、本願の実施例について図面を参照して説明するが、本願は、この実施例に限定されるものではなく、本願の技術的思想に基づく各種の変形が可能である。本願における実施例に基づいて、当業者が創造的な労働をすることなく得られる全ての他の実施例は、本願の保護範囲に属する。
【００２２】
本願の実施例による技術的解決策は、例えば、全地球移動通信( Ｇｌｏｂａｌ Ｓｙｓｔｅｍ ｏｆ Ｍｏｂｉｌｅ ｃｏｍｍｕｎｉｃａｔｉｏｎ、ＧＳＭ)システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、汎用パケット無線サービス( Ｇｅｎｅｒａｌ Ｐａｃｋｅｔ Ｒａｄｉｏ Ｓｅｒｖｉｃｅ、ＧＰＲＳ )、ロングタームエボリューション( Ｌｏｎｇ  Ｔｅｒｍ  Ｅｖｏｌｕｔｉｏｎ、ＬＴＥ )システム、ＬＴＥ周波数分割複信( Ｆｒｅｑｕｅｎｃｙ Ｄｉｖｉｓｉｏｎ Ｄｕｐｌｅｘ、ＦＤＤ )システム、ＬＴＥ時分割複信( Ｔｉｍｅ Ｄｉｖｉｓｉｏｎ Ｄｕｐｌｅｘ、ＴＤＤ )、アドバンスドロングタームエボリューション( Ａｄｖａｎｃｅｄ ｌｏｎｇ ｔｅｒｍ ｅｖｏｌｕｔｉｏｎ、ＬＴＥ−Ａ )システム、新規ラジオ( Ｎｅｗ Ｒａｄｉｏ、ＮＲ )システム、ＮＲシステムのエボリューションシステム、免許不要スペクトル上のＬＴＥ ( ＬＴＥ−ｂａｓｅｄ ａｃｃｅｓｓ ｔｏ ｕｎｌｉｃｅｎｓｅｄ ｓｐｅｃｔｒｕｍ、ＬＴＥ−Ｕ )システム、免許不要スペクトル上のＮＲ （ ＮＲ−ｂａｓｅｄ ａｃｃｅｓｓ ｔｏ ｕｎｌｉｃｅｎｓｅｄ ｓｐｅｃｔｒｕｍ、ＮＲ−Ｕ )システム、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、全地球相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉＭＡＸ )、無線ローカルエリアネットワーク( Ｗｉｒｅｌｅｓｓ Ｌｏｃａｌ Ａｒｅａ Ｎｅｔｗｏｒｋｓ、ＷＬＡＮ )、ＷｉＦｉ( Ｗｉｒｅｌｅｓｓ Ｆｉｄｅｌｉｔｙ)、又はその後のリリースの通信システムなどの様々な通信システムに適用されてもよい。
【００２３】
通常、従来の通信システムがサポートする接続数は限られており、実現も容易であるが、通信技術の発展に伴い、移動通信システムは従来の通信だけでなく、例えば、デバイス-デバイス( Ｄｅｖｉｃｅ ｔｏ Ｄｅｖｉｃｅ、Ｄ２Ｄ )通信、マシン-マシン( Ｍａｃｈｉｎｅ ｔｏ Ｍａｃｈｉｎｅ、Ｍ２Ｍ )通信、マシン型通信( Ｍａｃｈｉｎｅ Ｔｙｐｅ Ｃｏｍｍｕｎｉｃａｔｉｏｎ、ＭＴＣ )、車車間通信( Ｖｅｈｉｃｌｅ ｔｏ Ｖｅｈｉｃｌｅ、Ｖ２Ｖ )などをサポートし、本願の実施例はこれらの通信システムにも適用可能である。
【００２４】
任意選択で、本願の実施例における通信システムは、キャリアアグリゲーション( Ｃａｒｒｉｅｒ Ａｇｇｒｅｇａｔｉｏｎ、ＣＡ )シナリオに適用されてもよく、デュアルコネクティビティ( Ｄｕａｌ Ｃｏｎｎｅｃｔｉｖｉｔｙ、ＤＣ )シナリオに適用されてもよく、スタンドアロン( Ｓｔａｎｄａｌｏｎｅ、ＳＡ )ネットワーキングシナリオに適用されてもよい。
【００２５】
本願の実施例が適用される通信システム１００は、例えば図１に示すようなものである。無線通信システム１００は、ネットワークデバイス１１０を含み得る。ネットワークデバイス１１０は、端末デバイスと通信するデバイスであってもよい。ネットワークデバイス１１０は、特定の地理的エリアに通信カバレージを提供し得、そのカバレージ内に位置する端末デバイスと通信し得る。任意選択で、ネットワークデバイス１００は、ＧＳＭシステム又はＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局（ ＮｏｄｅＢ、ＮＢ ）、ＬＴＥシステムにおける発展型基地局（ Ｅｖｏｌｕｔｉｏｎａｌ Ｎｏｄｅ Ｂ、ｅＮＢ、又はｅＮｏｄｅＢ ）、ＮＲシステムにおけるネットワーク側装置、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または中継局、アクセスポイント、車載装置、ウェアラブル装置、次世代ネットワークにおけるネットワーク側装置、または将来進化するパブリック地上波モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００２６】
この無線通信システム１００は、ネットワークデバイス１１０のカバレージ内に配置された少なくとも１つの端末デバイス１２０をさらに含む。本明細書で使用される「端末デバイス」としては、公衆交換電話網( Ｐｕｂｌｉｃ Ｓｗｉｔｃｈｅｄ Ｔｅｌｅｐｈｏｎｅ Ｎｅｔｗｏｒｋｓ、ＰＳＴＮ )、デジタル加入者線( Ｄｉｇｉｔａｌ Ｓｕｂｓｃｒｉｂｅｒ Ｌｉｎｅ、ＤＳＬ )、デジタルケーブル、直接ケーブル接続などの有線回線を介した接続、および/または別のデータ接続/ネットワーク、および/または、セルラネットワーク、ワイヤレスローカルエリアネットワーク( Ｗｉｒｅｌｅｓｓ Ｌｏｃａｌ Ａｒｅａ Ｎｅｔｗｏｒｋ、ＷＬＡＮ )、ＤＶＢ−Ｈネットワークなどのデジタルテレビジョンネットワーク、衛星ネットワーク、ＡＭ−ＦＭ放送受信機などの無線インターフェースを介して、及び/又は通信信号を受信/送信するように構成された別の端末デバイスのための手段、および/またはモノのインターネット( Ｉｎｔｅｒｎｅｔ ｏｆ Ｔｈｉｎｇｓ、ＩｏＴ )装置を含む。無線インターフェースを介して通信するように設定された端末デバイスは、「無線通信端末」、「無線端末」、又は「移動端末」と称され得る。
【００２７】
端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ装置、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ（ Ｗｉｒｅｌｅｓｓ Ｌｏｃａｌ Ｌｏｏｐ、ＷＬＬ ）局、パーソナルデジタル処理（ Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。このとき、任意選択的に、端末デバイス１２０間の端末直接接続( ＤＥＶＩＣＥ ｔｏ Ｄｅｖｉｃｅ、Ｄ２Ｄ )通信も行われてもよい。
【００２８】
具体的には、ネットワークデバイス１１０はセルにサービスを提供することができ、端末デバイス１２０は、セルによって使用される伝送リソース（たとえば、周波数領域リソース、またはスペクトルリソース）を通じてネットワークデバイス１１０と通信し、このセルは、ネットワークデバイス１１０（ たとえば、基地局）に対応するセルであってもよく、セルは、マクロ基地局またはスモールセルに対応する基地局に属することができ、ここでのスモールセルには、メトロセル、マイクロセル、およびピコセル（ ピコセル）、フェムトセル（フェムトセル）などであり、これらのスモールセルは、カバレッジが小さく、送信電力が低いという特徴があり、高速データ伝送サービスの提供に適している。
【００２９】
図１は、１つのネットワークデバイス及び２つの端末デバイスを例示的に示し、任意選択で、この無線通信システム１００は、複数のネットワークデバイスを含み、各ネットワークデバイスのカバレージ内に他の数の端末デバイスを含んでもよく、本願の実施例は、これに限定されない。
【００３０】
任意選択で、無線通信システム１００は、ネットワークコントローラ、モビリティ管理エンティティなどの他のネットワークエンティティをさらに含むことができ、本願の実施例はこれに限定されない。
【００３１】
現在、免許不要スペクトル上のＮＲシステム( ＮＲ−Ｕ )の目標シナリオは、ＳＡシナリオとＤＣシナリオとを含み、免許不要周波数帯域上でＲＬＭ動作を実行する必要がある。ネットワークデバイスは、免許不要周波数帯域で信号を送信する前に、チャネルが空っているか否かを判定するチャネルリッスンを行う必要があり、空っていると判定されたチャネルのみ信号送信を行うことができる。このため、ネットワークデバイスは、端末デバイスに無線リンク監視測定のための参照信号ＲＬＭ−ＲＳを行う際に、チャネルがビジーであるためＲＬＭ−ＲＳを送信できず、端末デバイスに無線リンク監視測定に影響を与える可能性がある。
【００３２】
既存のメカニズムでは、端末デバイスがＲＬＭ−ＲＳに基づいて測定を行い、信号対干渉プラス雑音比( Ｓｉｇｎａｌ ｔｏ Ｉｎｔｅｒｆｅｒｅｎｃｅ ｐｌｕｓ Ｎｏｉｓｅ Ｒａｔｉｏ、ＳＩＮＲ )を取得し、このＳＩＮＲが同期閾値Ｑｉｎより高い場合、端末デバイスは同期( ｉｎ ｓｙｎｃ、ＩＳ )指示を報告し、測定されたＳＩＮＲが同期外れ閾値Ｑｏｕｔを下回る場合、端末デバイスは同期はずれを報告する( ｏｕｔ ｏｆ ｓｙｎｃ、ＯＯＳ )。
【００３３】
しかし、免許不要周波数帯域では、端末デバイスが測定したＳＩＮＲが低い場合、端末デバイスは、ネットワークデバイスがチャネルビジーでＲＬＭ−ＲＳを送信できなかったのか、端末デバイスのチャネル品質が悪いのかを知ることができなかった。ネットワークデバイスがＲＬＭ−ＲＳを送信する際に、一時的にチャネルビジーによりＲＬＭ−ＲＳの送信ができない場合、実際にチャネルが空いてしまうと、チャネル品質が依然として良好な状態になり、この場合、端末はＲＬＭ−ＲＳの測定結果から現在の実際のチャネル状況を判断する準備ができなくなる。
【００３４】
したがって、本願の実施例は、異なるチャネル品質のために異なるＲＬＭパラメータセットを構成して、異なるチャネル品質を有する端末デバイスが異なるＲＬＭパラメータセットを使用して無線リンク監視測定を行い、これにより、免許不要周波数帯域にわたる無線リンク監視測定の正確性を向上することを提案する。
【００３５】
本願の実施例における端末デバイスによる無線リンク監視測定のための参照信号ＲＬＭ−ＲＳは、例えば、チャネル状態指示参照信号( Ｃｈａｎｎｅｌ Ｓｔａｔｅ Ｉｎｆｏｒｍａｔｉｏｎ Ｒｅｆｅｒｅｎｃｅ Ｓｉｇｎａｌ、ＣＳＩ−ＲＳ )又は同期信号ブロック( Ｓｙｎｃｈｒｏｎｉｚａｔｉｏｎ Ｓｉｇｎａｌ Ｂｌｏｃｋ、ＳＳＢ又はＳＳ Ｂｌｏｃｋ )などの参照信号を含み得る。
【００３６】
図２は、本願の実施例による無線リンク監視測定の方法２００の概略的なフローチャートである。図２に示す方法は、例えば、図１に示す端末デバイス１２０であり得る端末デバイスによって実行され得る。図２に示されるように、この無線リンクの監視測定方法２００は、以下のステップの一部または全部を含み得る。
【００３７】
２１０において、端末デバイスが該端末デバイスのチャネル品質に基づいて、第１のＲＬＭパラメータセット及び第２のＲＬＭパラメータセットから目標ＲＬＭパラメータセットを選択する。
【００３８】
２２０において、端末デバイスが該目標ＲＬＭパラメータセットに基づいて無線リンク監視測定を行う。
【００３９】
任意選択で、該第１のＲＬＭパラメータセットは、ＲＬＭの評価周期、同期ＩＳ指示を報告するか否かを決定するための同期閾値Ｑｉｎ、同期外れＯＯＳ指示を報告するか否かを決定するための同期外れ閾値Ｑｏｕｔ、タイマＴ３１０を開始するか否かを判断するために連続的に報告するＯＯＳ指示の数を記録するためのカウンターＮ３１０、及びタイマＴ３１０がタイムアウトする前にタイマＴ３１０を停止するか否かを決定するために連続的に報告するＩＳ指示を記録するカウンターＮ３１１のうちの少なくとも１つを含む。
【００４０】
任意選択で、該第２のＲＬＭパラメータセットは、ＲＬＭの評価周期、同期ＩＳ指示を報告するか否かを決定するための同期閾値Ｑｉｎ、同期外れＯＯＳ指示を報告するか否かを決定するための同期外れ閾値Ｑｏｕｔ、タイマＴ３１０を開始するか否かを判断するために連続的に報告するＯＯＳ指示の数を記録するためのカウンターＮ３１０、及びタイマＴ３１０がタイムアウトする前にタイマＴ３１０を停止するか否かを決定するために連続的に報告するＩＳ指示を記録するカウンターＮ３１１のうちの少なくとも１つを含む。
【００４１】
ここで、該第１のＲＬＭパラメータセットに含まれるパラメータと該第２のＲＬＭパラメータセットに含まれるパラメータとは、少なくとも１つパラメータが異なる。
【００４２】
本願の実施例において、カウンターＮ３１０の設定値をＮ３１０とし、カウンターＮ３１１の設定値をＮ３１１とする。
【００４３】
ここで、このタイマＴ３１０は、リンク接続失敗( Ｒａｄｉｏ Ｌｉｎｋ Ｆａｉｌｕｒｅ、ＲＬＦ )であるか否かを端末デバイスが判断するために使用される。タイマＴ３１０は、端末デバイスの上位層が物理層によって送信された連続したＮ３１０個のＯＯＳ指示を受信した場合に開始され、タイムアウト前に端末デバイスの上位層が物理層によって送信された連続したＮ３１１個のＩＳ指示を受信した場合に停止される。ＲＬＭの評価期間、すなわち、無線リンク監視測定が行われてＩＳ指示又はＯＯＳ指示が報告されるか否かを決定する期間、例えば、端末デバイスは、その期間に応じてＳＩＮＲの測定を行い、測定結果をＱｉｎ又はＱｏｕｔと比較してＯＯＳ指示又はＩＳ指示が報告されるかを決定する。
【００４４】
無線リンク監視測定を行うセルについて、端末デバイスの信号品質の測定値が同期閾値Ｑｉｎよりも高い場合、端末デバイスの物理層は、上位層に同期( ｉｎ ｓｙｎｃ、ＩＳ )指示を報告し、一方、端末デバイスの信号品質の測定値が同期外れ閾値Ｑｏｕｔを下回る場合、端末デバイスの物理層は、上位層に同期外れ( ｏｕｔ ｏｆ ｓｙｎｃ、ＯＯＳ )指示を報告する。端末デバイスの上位層が物理層から連続したＮ３１０個のＯＯＳ指示を受信した場合(ここで、タイマＴ３１１のような他のタイマが動作していないと仮定し、本願の実施例は、タイマＴ３１０のメカニズム下のＲＬＭのみを考慮する)、タイマＴ３１０を開始する。端末デバイスの上位層は、物理層から連続したＮ３１１個のＩＳ指示を受信し、タイマＴ３１０が動作中である(すなわち、タイマＴ３１０がタイムアウトしていない)場合、タイマＴ３１０を停止する。タイマＴ３１０がタイムアウトする前に、端末デバイスの上位層間で連続したＮ３１１個のＩＳ指示を受信しなかった場合、端末デバイスはＲＬＦを決定する。
【００４５】
なお、同期閾値Ｑｉｎ、同期外れ閾値Ｑｏｕｔ、タイマＴ３１０、カウンターＮ３１０及びカウンターＮ３１１の名称は、本願の実施例に限定されるものではなく、上記パラメータの機能を実現できる他の名称のパラメータであっても本願の実施例の範囲に含まれる。
【００４６】
免許不要周波数帯域では、端末デバイスのチャネル品質が良好であっても、ネットワークデバイスがＲＬＭ−ＲＳを送信する際に、チャネルビジーによりＲＬＭ−ＲＳの送信が成功しない場合があり、この場合、端末デバイスが複数回連続して測定した参照信号品質のいずれもが同期外れ閾値Ｑｏｕｔを下回ってタイマＴ３１０を起動し、その後、同様の理由により、タイマＴ３１０の起動後に連続したＮ３１１個のＩＳ指示を端末デバイスが受信できずにタイマＴ３１０を終了してしまい、ＲＬＦの誤判定の可能性があることがわかる。
【００４７】
本願の実施例では、端末デバイスは、無線リンク監視測定を行う際に、自分のチャネル品質の良否に応じて、第１のＲＬＭパラメータセット及び第２のＲＬＭパラメータセットから、使用される目標ＲＬＭパラメータセットとして自分のＲＬＭパラメータセットに適合するＲＬＭパラメータセットを選択することで、チャネルビジーによりＲＬＭ−ＲＳの送信が成功しないことによるＲＬＦの誤判定をできるだけ回避する。
【００４８】
なお、本願の実施例による第１のＲＬＭパラメータセット及び第２のＲＬＭパラメータセットを例としてのみ説明したが、これに限定されない。例えば、複数のチャネル品質のレベルにそれぞれ１対１に対応するように複数のＲＬＭパラメータセットを構成し、端末デバイスは、測定されたチャネル品質に基づいて、その信号品質のレベルに対応するＲＬＭパラメータセットを選択し、その選択されたＲＬＭパラメータセットに基づいて無線リンク監視測定を行うようにしてもよい。
【００４９】
任意選択で、２１０において、端末デバイスが該端末デバイスのチャネル品質に基づいて、第１のＲＬＭパラメータセット及び第２のＲＬＭパラメータセットから目標ＲＬＭパラメータセットを選択することは、該端末デバイスのチャネル品質の測定値が第１の閾値以上である場合、該端末デバイスが該第１のＲＬＭパラメータセットを該目標ＲＬＭパラメータセットとして選択し、及び／又は、該端末デバイスのチャネル品質の測定値が該第１の閾値以下である場合、該端末デバイスが該第２のＲＬＭパラメータセットを該目標ＲＬＭパラメータセットとして選択する。
【００５０】
ここで、任意選択で、該第１のＲＬＭパラメータセットにおけるカウンターＮ３１０の設定値が該第２のＲＬＭパラメータセットにおけるカウンターＮ３１０の設定値よりも大きく、及び／又は、該第１のＲＬＭパラメータセットにおけるカウンターＮ３１１の設定値が該第２のＲＬＭパラメータセットにおけるカウンターＮ３１１の設定値よりも小さく、及び／又は、該第１のＲＬＭパラメータセットにおけるタイマＴ３１０の時間長が該第１のＲＬＭパラメータセットにおけるタイマＴ３１０の時間長よりも大きい。
【００５１】
該端末デバイスのチャネル品質の測定値は、例えば、参照信号受信電力（Ｒｅｆｅｒｅｎｃｅ Ｓｉｇｎａｌ Ｒｅｃｅｉｖｉｎｇ Ｐｏｗｅｒ、ＲＳＲＰ）、参照信号受信品質（Ｒｅｆｅｒｅｎｃｅ Ｓｉｇｎａｌ Ｒｅｃｅｉｖｅｄ Ｑｕａｌｉｔｙ、ＲＳＲＱ）、及び参照信号のＳＩＮＲ（Ｒｅｆｅｒｅｎｃｅ Ｓｉｇｎａｌ ＳＩＮＲ、ＲＳ−ＳＩＮＲ）のうちの少なくとも１つを含む。
【００５２】
例えば、ＳＩＮＲを例にとると、チャネル品質が良好な端末デバイス、すなわちＳＩＮＲが第１の閾値より大きい端末デバイスに対しては、第１のＲＬＭパラメータセットのパラメータを用いて無線リンク監視測定を行うことができる。この第１のＲＬＭパラメータセットのカウンターＮ３１０の設定値は、第２のＲＬＭパラメータセットのカウンターＮ３１０の設定値よりも大きく構成されるため、タイマＴ３１０が容易に起動されなく、複数のＯＯＳ指示が連続して受信される場合にのみ起動され、及び/又は、第１のＲＬＭパラメータセットのカウンターＮ３１１の設定値は、第２のＲＬＭパラメータセットのカウンターＮ３１１の設定値よりも小さく構成されるため、ＩＳ指示の連続受信回数が少ない場合にタイマＴ３１０を終了し、及び/又は、第１のＲＬＭパラメータセットのタイマＴ３１０の時間長は、第２のＲＬＭパラメータセットのタイマＴ３１０の時間長より長く構成され、タイマＴ３１０がタイムアウトするのに長い時間を要し、これにより、Ｎ３１１個のＩＳ指示が連続して受信される可能性を高めてタイマＴ３１０を終了し、これにより、チャネル品質が良い端末デバイスがＲＬＦの誤判定を行う可能性を低減することができる。
【００５３】
一方、チャネル品質が悪い端末デバイス、すなわちＳＩＮＲが第１の閾値未満の端末デバイスに対しては、第２のＲＬＭパラメータセットのパラメータを用いて無線リンク監視測定を行うことができる。第２のＲＬＭパラメータセットのカウンターＮ３１０の設定値は、第１のＲＬＭパラメータセットのカウンターＮ３１０の設定値よりも小さく構成されるため、タイマＴ３１０が容易に開始でき、及び/又は、第２のＲＬＭパラメータセットのカウンターＮ３１１の設定値は、第１のＲＬＭパラメータセットのカウンターＮ３１１の設定値よりも大きく構成されるため、タイマＴ３１０の開始後に早期に終了することが難しくなり、及び/又は、第２のＲＬＭパラメータセットのタイマＴ３１０の時間長は、第１のＲＬＭパラメータセットのタイマＴ３１０の時間長よりも短くなるように構成されるため、タイマＴ３１０が開始された後に比較的容易にタイムアウトされる。第２のＲＬＭパラメータセットのこれらのパラメータは、第１のＲＬＭパラメータセットと比較して、端末デバイスによって測定された第１のＳＩＮＲが小さい場合にＲＬＦを比較的容易にトリガすることができ、この設定は、端末デバイスによる無線リンク監視測定のために使用されるパラメータセットの検出結果に対する影響を実際のチャネル品質条件に実質的に一致させる。
【００５４】
また、任意選択で、端末デバイスが免許周波数帯で無線リンクを監視測定する場合に、チャネルのビジーによる悪影響を考慮して、第２のＲＬＭパラメータセットを選択することにより、端末デバイスがＲＬＦを判断しにくくなる場合がある。例えば、第２のＲＬＭパラメータセットは、免許周波数帯域にわたる端末デバイスによる無線リンク監視測定のために使用される上述のパラメータに対して、より大きいＮ３１０、及び/又はより小さいＮ３１１、及び/又はより大きいＴ３１０の期間を構成し得る。
【００５５】
上記のチャネル品質の測定値は、ＲＳＲＰ、ＲＳＲＱ、ＲＳ−ＳＩＮＲ等を含むが、これに限定されず、例えば、端末デバイスのチャネル品質の測定値は、受信信号強度指示( Ｒｅｃｅｉｖｅｄ Ｓｉｇｎａｌ Ｓｔｒｅｎｇｔｈ Ｉｎｄｉｃａｔｉｏｎ、ＲＳＳＩ )であってもよく、これらの測定値は、端末デバイスのチャネル品質を直接的又は間接的に示すことができる。
【００５６】
なお、端末デバイスが第１のＲＬＭパラメータセット又は第２のＲＬＭパラメータセットを使用される目標ＲＬＭパラメータセットとして選択することは、端末デバイスのチャネル品質に基づいて行う。端末デバイスのチャネル品質が良くなる場合、第１のＲＬＭパラメータセットを選択し、端末デバイスのチャネル品質が悪くなる場合、第２のＲＬＭパラメータセットを選択する。
【００５７】
例えば、端末デバイスは、ＲＳＲＰ、ＲＳＲＱ、ＲＳ−ＳＩＮＲなどの測定値に基づいてＲＬＭパラメータセットの選択を行う場合、測定値が大きいほどチャネル品質が良好であることを示すので、測定値が第１の閾値より大きい場合、カウンターＮ３１０の設定値が大きい、かつ/またはカウンターＮ３１１の設定値が小さい、かつ/またはタイマＴ３１０の時間長が大きいＲＬＭパラメータセットを目標パラメータセットとして選択してもよく、測定値が小さいほど、チャネル品質が悪いことを示し、測定値が第１の閾値より小さい場合、カウンターＮ３１０の設定値が小さい、及び/又は、カウンターＮ３１１の設定値が大きい、及び/又は、タイマＴ３１０の時間長が小さいＲＬＭパラメータセットを目標パラメータセットとして選択することができる。
【００５８】
端末デバイスがＲＳＳＩなどに基づいてＲＬＭＲＬＭパラメータセットの選択を行う場合、測定値が小さいほどチャネル品質が良好であることを示すので、測定値が第１の閾値より小さい場合、カウンターＮ３１０の設定値が大きい、かつ/又はカウンターＮ３１１の設定値が小さい、かつ/又はタイマＴ３１０の時間長が大きいＲＬＭパラメータセットを目標パラメータセットとして選択してもよく、測定値が大きいほど、チャネル品質が悪いことを示すので、測定値が第１の閾値より大きい場合、カウンターＮ３１０の設定値が小さい、及び/又は、カウンターＮ３１１の設定値が大きい、及び/又は、タイマＴ３１０の時間長が小さいＲＬＭパラメータセットを、目標パラメータセットとして選択することができる。
【００５９】
任意選択で、前記端末デバイスのチャネル品質の測定値は、前記端末デバイスが所定時間内に測定したこの該端末デバイスのチャネル品質の複数の測定値の平均値を含む。
【００６０】
ＳＩＮＲを例にとると、チャネル品質の良い端末に対しては、チャネル測定は、ＲＬＭ−ＲＳに対する測定に基づいてＳＩＮＲを得てもよいし、他の参照信号に対する測定に基づいてＳＩＮＲを得てもよい。端末で測定したＳＩＮＲが第１の閾値(例えば１０ ｄＢ )より大きい場合、端末デバイスのチャネル品質が良いことを示す。このＳＩＮＲは、ある期間におけるＳＩＮＲの測定結果の平均値、例えば、現在に無線リンクの監視測定を行っている時間より前のある期間におけるＳＩＮＲの測定平均値であってもよく、端末デバイスは、時間の経過とともに、最新の測定結果に基づいてリアルタイムにＳＩＮＲを更新することができる。
【００６１】
任意選択で、２１０の前に、該方法は、さらに、端末デバイスが無線リンク監視測定を行うための構成情報を取得する。ここで、該構成情報は、第１の閾値、第１のＲＬＭパラメータセット及び第２のＲＬＭパラメータセットのうちの少なくとも１つを含む。
【００６２】
さらに、任意選択で、該端末デバイスが無線リンク監視測定を行うための構成情報を取得することは、該端末デバイスがネットワークデバイスにより送信された該構成情報を受信することを含み、例えば、ネットワークデバイスが無線リソース制御（Ｗｉｒｅｌｅｓｓ Ｒｅｓｏｕｒｃｅ Ｃｏｎｔｒｏｌ、ＲＲＣ）シグナリングで送信する該構成情報を受信し、又は、該端末デバイスが端末デバイスに予め記憶した該構成情報を取得し、例えば、該構成情報がプロトコルにより約定される。
【００６３】
任意選択で、２２０において、該端末デバイスが該目標ＲＬＭパラメータセットに基づいて該ＲＬＭを行うことは、該端末デバイスがＳＩＮＲ測定を行い、該ＳＩＮＲの測定値が該同期閾値Ｑｉｎよりも大きい場合、該端末デバイスの物理層が該端末デバイスの上位層に該ＩＳ指示を報告し、該ＳＩＮＲの測定値が該同期外れ閾値Ｑｏｕｔよりも小さい場合、該端末デバイスの物理層が該端末デバイスの上位層に該ＯＯＳ指示を報告することを含む。
【００６４】
任意選択で、２２０において、端末デバイスが該目標ＲＬＭパラメータセットに基づいて該ＲＬＭを行うことは、さらに、端末デバイスの上位層が端末デバイスの物理層から連続的に受信したＯＯＳ指示の数が該タイマＮ３１０の設定値に達した場合、端末デバイスの上位層が該タイマＴを開始し、該タイマＴ３１０がタイムアウトする前に、端末デバイスの上位層が端末デバイスの物理層から連続的に受信したＩＳ指示の数が該タイマＮ３１１の設定値に達した場合、端末デバイスの上位層が該タイマＴ３１０を停止し、該タイマＴ３１０がタイムアウトする前に、端末デバイスの上位層が端末デバイスの物理層から連続的に受信したＩＳ指示の数が該タイマＮ３１１の設定値に達してない場合、端末デバイスがＲＬＦを決定することを含む。
【００６５】
図３は本願の実施例における無線リンクの監視測定方法３００のフローチャートである。図３に記載された方法は、例えば、図１に示されたネットワークデバイス１１０であり得るネットワークデバイスによって実行され得る。図３に示すように、無線リンクの監視測定方法３００は、以下のステップの一部または全部を含み得る。ここで、
３１０において、ネットワークデバイスが構成情報を決定する。
【００６６】
３２０において、ネットワークデバイスが端末デバイスに該構成情報を送信する。
【００６７】
任意選択で、該構成情報が第１のＲＬＭパラメータセット及び第２のＲＬＭパラメータセットを含み、該第１のＲＬＭパラメータセットと該第２のＲＬＭパラメータセットとは、該端末デバイスが該端末デバイスのチャネル品質に基づいて該ＲＬＭを行うための目標ＲＬＭパラメータセットを選択するために使用される。
【００６８】
任意選択で、該構成情報が、さらに、第１の閾値を含み、該第１の閾値は、該端末デバイスが該端末デバイスのチャネル品質の測定値が第１の閾値以上でる場合に該第１のＲＬＭパラメータセットを該目標パラメータセットとして選択し、及び／又は、該端末デバイスのチャネル品質の測定値が該第１の閾値以下である場合に該第１のＲＬＭパラメータセットを該目標パラメータセットとして選択するために使用される。
【００６９】
任意選択で、該第１のＲＬＭパラメータセットにおけるカウンターＮ３１０の設定値が該第２のＲＬＭパラメータセットにおけるカウンターＮ３１０の設定値よりも大きく、及び／又は、該第１のＲＬＭパラメータセットにおけるカウンターＮ３１１の設定値が該第２のＲＬＭパラメータセットにおけるカウンターＮ３１１の設定値よりも小さく、及び／又は、該第１のＲＬＭパラメータセットにおけるタイマＴ３１０の時間長が該第１のＲＬＭパラメータセットにおけるタイマＴ３１０の時間長よりも大きい。
【００７０】
任意選択で、該第１のＲＬＭパラメータセットに含まれるパラメータと該第２のＲＬＭパラメータセットに含まれるパラメータは、少なくとも１つのパラメータが異なり、かつ、該第１のＲＬＭパラメータセットと該第２のＲＬＭパラメータセットとは、ＲＬＭの評価周期、同期ＩＳ指示を報告するか否かを決定するための同期閾値Ｑｉｎ、同期外れＯＯＳ指示を報告するか否かを決定するための同期外れ閾値Ｑｏｕｔ、タイマＴ３１０を開始するか否かを判断するために連続的に報告するＯＯＳ指示の数を記録するためのカウンターＮ３１０、タイマＴ３１０がタイムアウトになる前にタイマＴ３１０を停止するか否かを判断するために連続報告のＩＳ指示の数を記録するカウンターＮ３１１のうちの少なくとも１つを含む。
【００７１】
したがって、ネットワークデバイスは、端末デバイスのための２つのＲＬＭパラメータセットを構成することにより、端末デバイスが、そのチャネル品質に基づいて、第１のＲＬＭパラメータセット及び第２のＲＬＭパラメータセットから無線リンク監視測定のための目標ＲＬＭパラメータセットを選択し、この目標ＲＬＭパラメータセットの様々なパラメータに基づいて無線リンク監視測定を行い、したがって、免許不要周波数帯域におけるＲＬＭ測定の正確性を向上する。
【００７２】
なお、第１の閾値および２つのパラメータセットは、ネットワークデバイスが端末デバイスに構成されてもよく、又は、２つのパラメータセットがネットワークデバイスによって端末デバイスに設定され、第１の閾値が端末デバイスに予め記憶されていてもよく、又は、第１の閾値は、ネットワークデバイスから端末デバイスへ構成され、２つのパラメータセットは、端末デバイスに予め記憶されていてもよい。本願実施例はこれらに限定されるものではない。
【００７３】
なお、無線リンク監視測定プロセスにおけるネットワークデバイスの具体的な動作は、前述の図２における端末デバイスに関する説明を参照してもよく、簡潔にするためにここで説明を省略する
なお、本明細書に記載の各実施例および/または各実施例の技術的特徴は、矛盾が生じない範囲で任意に組み合わせることができ、組み合わせた技術的解決策も本明細書の保護範囲に含まれる。
【００７４】
なお、本願の様々な実施例において、上述のプロセスの順序のサイズは、実行順序の先後を意味するものではなく、各プロセスの実行順序は、その機能及び内部ロジックにおいて決定されるべきであり、本願の実施例のプロセスを何ら限定するものではない
本願の実施例による通信方法を本願の実施例によるデバイスを図４乃至図７を参照して以下に説明するが、本願の実施例によるデバイスは、以下のデバイスの実施例に適用される。
【００７５】
図４は本願の実施例における端末デバイス４００のブロック図である。図４に示すように、該端末デバイス４００は、処理ユニット４１０及びリンク監視検定ユニット４２０を含む。ここで、
処理ユニット４１０は、前記端末デバイスのチャネル品質に基づいて、第１のＲＬＭパラメータセット及び第２のＲＬＭパラメータセットから目標ＲＬＭパラメータセットを選択するように構成され、
リンク監視検定ユニット４２０は、前記処理ユニットが選択した前記目標ＲＬＭパラメータセットに基づいて前記ＲＬＭを行うように構成される。
【００７６】
したがって、端末デバイスは、そのチャネル品質に基づいて、異なるＲＬＭパラメータセットから無線リンク監視測定のための目標ＲＬＭパラメータセットを選択し、それにより、この目標ＲＬＭパラメータセットの様々なパラメータに基づいて、無線リンク監視測定を行い、したがって、免許不要周波数帯域上のＲＬＭ測定の正確度を向上することができる。
【００７７】
任意選択で、前記第１のＲＬＭパラメータセットに含まれるパラメータと前記第２のＲＬＭパラメータセットに含まれるパラメータとは、少なくとも１つパラメータが異なり、前記第１のＲＬＭパラメータセットと前記第２のＲＬＭパラメータセットは、ＲＬＭの評価周期、同期ＩＳ指示を報告するか否かを決定するための同期閾値Ｑｉｎ、同期外れＯＯＳ指示を報告するか否かを決定するための同期外れ閾値Ｑｏｕｔ、タイマＴ３１０を開始するか否かを判断するために連続的に報告するＯＯＳ指示の数を記録するためのカウンターＮ３１０、及びタイマＴ３１０がタイムアウトする前にタイマＴ３１０を停止するか否かを判断するために連続的に報告するＩＳ指示の数を記録するためのカウンターＮ３１１のうちの少なくとも１つパラメータを含む。
【００７８】
任意選択で、前記処理ユニット４１０は、具体的に、前記端末デバイスのチャネル品質の測定値が前記第１の閾値以上である場合、前記第１のＲＬＭパラメータセットを前記目標ＲＬＭパラメータセットとして選択し、及び／又は、前記端末デバイスのチャネル品質の測定値が前記第１の閾値以下である場合、前記第２のＲＬＭパラメータセットを前記目標ＲＬＭパラメータセットとして選択するように構成される。
【００７９】
任意選択で、前記第１のＲＬＭパラメータセットにおけるカウンターＮ３１０の設定値が前記第２のＲＬＭパラメータセットにおけるカウンターＮ３１０の設定値よりも大きく、及び／又は、前記第１のＲＬＭパラメータセットにおけるカウンターＮ３１１の設定値が前記第２のＲＬＭパラメータセットにおけるカウンターＮ３１１の設定値よりも小さく、及び／又は、前記第１のＲＬＭパラメータセットにおけるタイマＴ３１０の時間長が前記第１のＲＬＭパラメータセットにおけるタイマＴ３１０の時間長よりも大きい。
【００８０】
任意選択で、前記端末デバイスのチャネル品質の測定値は、参照信号受信電力ＲＳＲＰ、参照信号受信品質ＲＳＲＱ、参照信号の信号対干渉プラス雑音比ＲＳ−ＳＩＮＲのうちの少なくとも１つを含む。
【００８１】
任意選択で、前記端末デバイスのチャネル品質の測定値は、前記端末デバイスが所定期間に測定した前記端末デバイスのチャネル品質の複数の測定値の平均値を含む。
【００８２】
任意選択で、前記端末デバイスが取得ユニットをさらに含み、前記取得ユニットは、構成情報を取得するように構成され、前記構成情報は、第１の閾値、前記第１のＲＬＭパラメータセット及び前記第２のＲＬＭパラメータセットのうちの少なくとも１つを含む。
【００８３】
任意選択で、前記端末デバイスが受信ユニットをさらに含み、前記取得ユニットは、具体的に、前記受信ユニットでネットワークデバイスにより送信された前記構成情報を受信し、又は、前記端末デバイスに予め記憶した前記構成情報を取得するように構成される。
【００８４】
任意選択で、前記端末デバイスがさらに送信ユニットを含み、前記送信ユニットは、前記ＳＩＮＲの測定値が前記同期閾値Ｑｉｎよりも大きい場合、前記ＩＳ指示を報告し、前記ＳＩＮＲの測定値が前記同期外れ閾値Ｑｏｕｔよりも小さい場合、前記ＯＯＳ指示を報告するように構成される。
【００８５】
任意選択で、前記リンク監視検定ユニット４２０は、さらに、前記端末デバイスの上位層が前記端末デバイスの物理層からＮ３１０個のＯＯＳ指示を連続的に受信した場合、前記タイマＴ３１０を開始し、前記タイマＴ３１０がタイムアウトする前に、前記端末デバイスの上位層が前記端末デバイスの物理層から連続的に受信したＩＳ指示の数が前記タイマＮ３１１の設定値に達した場合、前記端末デバイスの上位層が前記タイマＴ３１０を停止し、前記タイマＴ３１０がタイムアウトする前に、前記端末デバイスの上位層が前記端末デバイスの物理層から連続的に受信したＩＳ指示の数が前記タイマＮ３１１の設定値に達してない場合、無線リンク失敗ＲＬＦを決定するように構成される。
【００８６】
なお、端末デバイス４００は、上述した方法２００において端末デバイスによって実行される対応する動作を実行することができ、ここでは簡潔のため、その説明を省略する。
【００８７】
図５は本願の実施例におけるネットワークデバイス５００のブロック図である。図５に示すように、該ネットワークデバイス５００は、決定ユニット５１０及び送信ユニット５２０を含む。ここで、
決定ユニット５１０は、構成情報を決定するように構成され、前記構成情報が第１のＲＬＭパラメータセット及び第２のＲＬＭパラメータセットを含み、前記第１のＲＬＭパラメータセットと前記第２のＲＬＭパラメータセットとは、前記端末デバイスが前記端末デバイスのチャネル品質に基づいて前記ＲＬＭを行うための目標ＲＬＭパラメータセットを選択するために使用される。
【００８８】
送信ユニット５２０は、端末デバイスに前記決定ユニット５１０が決定した前記構成情報を送信するように構成される。
【００８９】
したがって、ネットワークデバイスは、端末デバイスのための異なるＲＬＭパラメータセットを構成することにより、端末デバイスが、そのチャネル品質に基づいて、異なるＲＬＭパラメータセットから無線リンク監視測定のための目標ＲＬＭパラメータセットを選択し、この目標ＲＬＭパラメータセットの様々なパラメータに基づいて無線リンク監視測定を行い、したがって、免許不要周波数帯域におけるＲＬＭ測定の正確度を向上する。
【００９０】
任意選択で、前記構成情報が第１の閾値をさらに含み、前記第１の閾値は、前記端末デバイスが前記第１のＲＬＭパラメータセット及び前記第２のＲＬＭパラメータセットから前記目標ＲＬＭパラメータセットを選択するために使用される。
【００９１】
任意選択で、前記第１のＲＬＭパラメータセットと前記第２のＲＬＭパラメータセットとは、ＲＬＭの評価周期、同期ＩＳ指示を報告するか否かを決定するための同期閾値Ｑｉｎ、同期外れＯＯＳ指示を報告するか否かを決定するための同期外れ閾値Ｑｏｕｔ、タイマＴ３１０を開始するか否かを判断するために連続的に報告するＯＯＳ指示の数を記録するためのカウンターＮ３１０、及びタイマＴ３１０がタイムアウトする前にタイマＴ３１０を停止するか否かを判断するために連続的に報告するＩＳ指示の数を記録するためのカウンターＮ３１１のうちの少なくとも１つパラメータが異なる。
【００９２】
なお、通信デバイス５００は、上述の方法３００においてネットワークデバイスによって実行される対応する動作を実行し、簡潔のためにここで説明を省略する。
【００９３】
図６は、本願の実施例に係る通信デバイス６００の概略構成図である。図６に示す通信デバイス６００は、メモリからコンピュータプログラムを呼び出して実行することにより、本願の実施例における方法を実現するプロセッサ６１０を有する。
【００９４】
任意選択で、図６に示されるように、通信デバイス６００は、メモリ６２０をさらに含み得る。プロセッサ６１０は、メモリ６２０からコンピュータプログラムを呼び出して実行することにより、本願の実施例における方法を実施する。
【００９５】
ここで、メモリ６２０は、プロセッサ６１０とは独立した１つの別個の部品であってもよく、プロセッサ６１０に集積されてもよい。
【００９６】
任意選択で、図６に示すように、通信デバイス６００は、プロセッサ６１０が他のデバイスと通信するように制御することができる、具体的には、他のデバイスに情報又はデータを送信するか、又は他のデバイスによって送信された情報又はデータを受信することができる、送受信機６３０を更に含むことができる。
【００９７】
ここで、送受信機６３０は、送信機および受信機を含み得る。送受信機６３０は、１つ以上の数のアンテナをさらに含むことができる。
【００９８】
任意選択で、通信デバイス６００は、特に、本願の実施例の端末デバイスであってもよく、通信デバイス６００は、本願の実施例の様々な方法において端末デバイスによって実施される対応するフローを実施してもよく、簡潔のためにここでは詳しい説明を省略する。
【００９９】
任意選択で、通信デバイス６００は、特に、本願の実施例のネットワークデバイスであってもよく、通信デバイス６００は、本願の実施例の様々な方法においてネットワークデバイスにより実施される対応するフローを実施してもよく、簡潔のためにここでは詳しい説明を省略する。
【０１００】
図７は、本願の実施例におけるチップの概略構成図である。図７に示されるチップ７００は、メモリからコンピュータプログラムを呼び出して実行することにより、本願の実施例における方法を実行することができるプロセッサ７１０を含む。
【０１０１】
任意選択で、図７に示されるように、チップ７００は、メモリ７２０をさらに含むことができる。プロセッサ７１０は、メモリ７２０からコンピュータプログラムを呼び出して実行することにより、本願の実施例における方法を実現することができる。
【０１０２】
ここで、メモリ７２０は、プロセッサ７１０とは独立した別個の部品であってもよく、プロセッサ７１０に集積されていてもよい。
【０１０３】
任意選択で、チップ７００は、入力インターフェース７３０をさらに含むことができる。プロセッサ７１０は、入力インターフェース７３０を制御して他のデバイスまたはチップと通信してもよく、具体的には、他のデバイスまたはチップによって送信された情報またはデータを取得してもよい。
【０１０４】
任意選択で、チップ７００は、出力インターフェース７４０をさらに含み得る。プロセッサ７１０は、出力インターフェース７４０を制御して、他のデバイス又はチップと通信してもよく、具体的には、他のデバイス又はチップに情報又はデータを出力してもよい。
【０１０５】
任意選択で、チップは、本願の実施例における端末デバイスに適用されてもよく、チップは、本願の実施例の様々な方法において端末デバイスによって実施される対応するフローを実施してもよく、簡潔さのためにここで説明を省略する。
【０１０６】
任意選択で、チップは、本願の実施例におけるネットワークデバイスに適用されてもよく、チップは、本願の実施例の様々な方法においてネットワークデバイスによって実施される対応するフローを実施してもよく、簡潔にするためにここでは詳しい説明を省略する。
【０１０７】
なお、本願の実施例で言及されるチップは、システムレベルチップ、チップシステム、チップシステム、またはシステムオンチップチップなどと呼ばれることもある
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１０８】
本願の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ（ Ｐｒｏｇｒａｍｍａｂｌｅ ＲＯＭ、ＰＲＯＭ ）、消去可能プログラマブルリードオンリーメモリ（ Ｅｒａｓａｂｌｅ ＰＲＯＭ、ＥＰＲＯＭ ）、電気的消去可能プログラマブルリードオンリーメモリ（ Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ（ Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ（ Ｓｙｎｃｈｌｉｎｋ ＤＲＡＭ、ＳＬＤＲＡＭ ）、及びダイレクトメモリバスランダムアクセスメモリ（ Ｄｉｒｅｃｔ Ｒａｍｂｕｓ ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されない。
【０１０９】
上述のメモリは、限定ではなく例示的であるが、例えば、本願の実施例におけるメモリは、スタティックランダムアクセスメモリ( ｓｔａｔｉｃ ＲＡＭ、ＳＲＡＭ )、ダイナミックランダムアクセスメモリ（ ｄｙｎａｍｉｃ ＲＡＭ、ＤRＡM )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ（ ｓｙｎｃｈ ｌｉｎｋ ＤＲＡＭ、ＳＬＤＲＡＭ ）、及びダイレクトメモリバスランダムアクセスメモリ（ Ｄｉｒｅｃｔ Ｒａｍｂｕｓ ＲＡＭ、ＤＲ ＲＡＭ )等であってもよいことが理解されるべきである。すなわち、本願の実施例におけるメモリは、これら及び任意の他の適切なタイプのメモリを含むことを意図しているが、これらに限定されない。
【０１１０】
図８は本願の実施例における通信システム８００のブロック図である。図８に示すように、該通信システム８００は、ネットワークデバイス８１０及び端末デバイス８２０を含む。
【０１１１】
ここで、該ネットワークデバイス８１０は、構成情報を決定するように構成され、前記構成情報が第１のＲＬＭパラメータセット及び第２のＲＬＭパラメータセットを含み、前記第１のＲＬＭパラメータセットと前記第２のＲＬＭパラメータセットとは、前記端末デバイスが無線リンク監視測定を行うための目標ＲＬＭパラメータセットを送信するために使用され、前記端末デバイスに前記構成情報を送信するように構成される。
【０１１２】
ここで、該端末デバイス８２０は、前記端末デバイスのチャネル品質に基づいて、第１のＲＬＭパラメータセット及び第２のＲＬＭパラメータセットから目標ＲＬＭパラメータセットを選択し、前記目標ＲＬＭパラメータセットに基づいて無線リンク監視測定を行うように構成される。
【０１１３】
ここで、該ネットワークデバイス８１０は、上記方法３００においてネットワークデバイスにより実現される対応する機能を実現するために使用されてもよく、該ネットワークデバイス８１０の構成は、図５においてネットワークデバイス５００に示されてもよく、簡潔にするために、ここでは詳しい説明を省略する。
【０１１４】
ここで、該端末デバイス８２０は、上記方法２００において端末デバイスによって実現される対応する機能を実現するために用いられてもよく、該端末デバイス８２０の構成は、図４において端末デバイス４００に示されてもよく、簡潔にするために、ここでは詳しい説明を省略する。
【０１１５】
本願の実施例は、コンピュータプログラムを記憶するためのコンピュータ可読記憶媒体をさらに提供する。任意選択で、コンピュータ可読記憶媒体は、本願の実施例におけるネットワークデバイスに適用されてもよく、コンピュータプログラムは、コンピュータに、本願の実施例の各方法においてネットワークデバイスによって実施される対応するフローを実行させ、簡潔にするために、ここでは詳しい説明を省略する。任意選択で、本願の実施例における端末デバイスには、コンピュータ読み取り可能な記録媒体が適用されてもよく、コンピュータプログラムは、コンピュータに、本願の実施例の各方法における端末デバイスによって実現される対応するフローを実行させ、簡潔にするために、ここでは詳しい説明を省略する。
【０１１６】
本願の実施例は、コンピュータプログラム命令を含むコンピュータプログラム製品も提供する。任意選択で、コンピュータプログラム製品は、本願の実施例におけるネットワークデバイスに適用されてもよく、コンピュータプログラム命令は、コンピュータに、本願の実施例の各方法においてネットワークデバイスによって実施される対応するフローを実行させ、簡潔にするために、ここでは詳しい説明を省略する。任意選択で、コンピュータプログラム製品は、本願の実施例における端末デバイスに適用されてもよく、コンピュータプログラム命令は、コンピュータに、本願の実施例の各方法において端末デバイスによって実施される対応するフローを実行させ、簡潔にするために、ここでは詳しい説明を省略する。
【０１１７】
本願の実施例は、コンピュータプログラムをさらに提供する。任意選択的に、コンピュータプログラムは、本願の実施例におけるネットワークデバイスに適用されてもよく、コンピュータプログラムがコンピュータ上で実行される場合、コンピュータに、本願の実施例の各方法においてネットワークデバイスによって実現される対応するフローを実行させ、簡潔のために、ここでは繰り返し説明しない。任意選択で、本願の実施例に係る端末デバイスにコンピュータプログラムを適用し、コンピュータプログラムがコンピュータ上で実行される場合、コンピュータに、本願の実施例に係る方法のうち端末デバイスで実現される対応するフローを実行させてもよく、これについての説明は省略する。
【０１１８】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【０１１９】
また、本願の実施例において、「Ａに対応する(対応する) Ｂ」とは、ＢがＡに関連付けられていることを意味し、Ａに応じてＢが決定されてもよい。ＡからＢを決定することは、ＡのみからＢを決定することを意味するのではなく、Ａおよび/または他の情報からＢを決定することもできることをさらに理解されたい。
【０１２０】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１２１】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１２２】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１２３】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１２４】
また、本願の各実施例における各機能部は、１つの処理部に集積されてもよいし、各部は、物理的に別個に存在してもよいし、２つ以上の部が１つの部に集積されてもよい。
【０１２５】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータデバイス(パーソナルコンピュータ、サーバ、またはネットワークデバイスなどであり得る)に本願の様々な実施例に記載された方法のステップの全てまたは一部を実行させるための複数の命令を含む１つの記憶媒体に記憶されたソフトウェア製品の形態で具現化され得る。なお、前記記憶媒体としては、U字ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１２６】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって定義されるべきである。
【図１】
2021531673.tif 000003
【図２】
2021531673.tif 000004
【図３】
2021531673.tif 000005
【図４】
2021531673.tif 000006
【図５】
2021531673.tif 000007
【図６】
2021531673.tif 000008
【図７】
2021531673.tif 000009
【図８】
2021531673.tif 000010
【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
端末デバイスが前記端末デバイスのチャネル品質に基づいて、第１のＲＬＭパラメータセット及び第２のＲＬＭパラメータセットから目標ＲＬＭパラメータセットを選択することと、
前記端末デバイスが前記目標ＲＬＭパラメータセットに基づいて前記ＲＬＭを行うこととを含む
ことを特徴とする無線リンクの監視測定ＲＬＭ方法。
【請求項２】
前記第１のＲＬＭパラメータセットと前記第２のＲＬＭパラメータセットは、
ＲＬＭの評価周期、同期ＩＳ指示を報告するか否かを決定するための同期閾値Ｑｉｎ、同期外れＯＯＳ指示を報告するか否かを決定するための同期外れ閾値Ｑｏｕｔ、タイマＴ３１０を開始するか否かを判断するために連続的に報告するＯＯＳ指示の数を記録するためのカウンターＮ３１０、及びタイマＴ３１０がタイムアウトする前にタイマＴ３１０を停止するか否かを判断するために連続的に報告するＩＳ指示の数を記録するためのカウンターＮ３１１のうちの少なくとも１つパラメータを含み、
前記第１のＲＬＭパラメータセットに含まれるパラメータと前記第２のＲＬＭパラメータセットに含まれるパラメータとは、少なくとも１つパラメータが異なる
ことを特徴とする請求項１に記載の無線リンクの監視測定ＲＬＭ方法。
【請求項３】
前記端末デバイスが前記端末デバイスのチャネル品質に基づいて第１のＲＬＭパラメータセット及び第２のＲＬＭパラメータセットから目標ＲＬＭパラメータセットを選択することは、
前記端末デバイスのチャネル品質の測定値が第１の閾値以上である場合、前記端末デバイスが前記第１のＲＬＭパラメータセットを前記目標ＲＬＭパラメータセットとして選択することを含み、及び／又は、
前記端末デバイスのチャネル品質の測定値が前記第１の閾値以下である場合、前記端末デバイスが前記第２のＲＬＭパラメータセットを前記目標ＲＬＭパラメータセットとして選択することを含む
ことを特徴とする請求項１又は２に記載の無線リンクの監視測定ＲＬＭ方法。
【請求項４】
前記端末デバイスのチャネル品質の測定値は、
参照信号受信電力ＲＳＲＰ、参照信号受信品質ＲＳＲＱ、参照信号の信号対干渉プラス雑音比ＲＳ−ＳＩＮＲのうちの少なくとも１つを含む
ことを特徴とする請求項３に記載の無線リンクの監視測定ＲＬＭ方法。
【請求項５】
前記方法は、さらに、
前記端末デバイスが構成情報を取得することを含み、
前記構成情報は、第１の閾値、前記第１のＲＬＭパラメータセット及び前記第２のＲＬＭパラメータセットのうちの少なくとも１つを含み、
前記端末デバイスが構成情報を取得することは、
前記端末デバイスがネットワークデバイスにより送信された前記構成情報を受信すること、又は、
前記端末デバイスが前記端末デバイスに予め記憶された前記構成情報を取得することを含む
ことを特徴とする請求項１〜４のいずれか１項に記載の無線リンクの監視測定ＲＬＭ方法。
【請求項６】
ネットワークデバイスが構成情報を決定し、前記構成情報が第１のＲＬＭパラメータセット及び第２のＲＬＭパラメータセットを含み、前記第１のＲＬＭパラメータセットと前記第２のＲＬＭパラメータセットとは、前記端末デバイスが前記端末デバイスのチャネル品質に基づいて前記ＲＬＭを行うための目標ＲＬＭパラメータセットを選択するために使用されることと、
前記ネットワークデバイスが前記端末デバイスに前記構成情報を送信することとを含む
ことを特徴とする無線リンクの監視測定ＲＬＭ方法。
【請求項７】
前記第１のＲＬＭパラメータセットと前記第２のＲＬＭパラメータセットは、
ＲＬＭの評価周期、同期ＩＳ指示を報告するか否かを決定するための同期閾値Ｑｉｎ、同期外れＯＯＳ指示を報告するか否かを決定するための同期外れ閾値Ｑｏｕｔ、タイマＴ３１０を開始するか否かを判断するために連続的に報告するＯＯＳ指示の数を記録するためのカウンターＮ３１０、及びタイマＴ３１０がタイムアウトする前にタイマＴ３１０を停止するか否かを判断するために連続的に報告するＩＳ指示の数を記録するためのカウンターＮ３１１のうちの少なくとも１つパラメータを含み、
前記第１のＲＬＭパラメータセットに含まれるパラメータと前記第２のＲＬＭパラメータセットに含まれるパラメータとは、少なくとも１つパラメータが異なる
ことを特徴とする請求項６に記載の無線リンクの監視測定ＲＬＭ方法。
【請求項８】
前記構成情報が第１の閾値をさらに含み、前記第１の閾値は、前記端末デバイスが前記端末デバイスのチャネル品質の測定値が第１の閾値以上である場合に前記第１のＲＬＭパラメータセットを前記目標パラメータセットとして選択し、及び／又は、前記端末デバイスのチャネル品質の測定値が前記第１の閾値以下である場合に前記第２のＲＬＭパラメータセットを前記目標パラメータセットとして選択するために使用される
ことを特徴とする請求項６又は７に記載の無線リンクの監視測定ＲＬＭ方法。
【請求項９】
前記第１のＲＬＭパラメータセットにおけるカウンターＮ３１０の設定値が前記第２のＲＬＭパラメータセットにおけるカウンターＮ３１０の設定値よりも大きく、及び／又は、
前記第１のＲＬＭパラメータセットにおけるカウンターＮ３１１の設定値が前記第２のＲＬＭパラメータセットにおけるカウンターＮ３１１の設定値よりも小さく、及び／又は、
前記第１のＲＬＭパラメータセットにおけるタイマＴ３１０の時間長が前記第１のＲＬＭパラメータセットにおけるタイマＴ３１０の時間長よりも大きい
ことを特徴とする請求項８に記載の無線リンクの監視測定ＲＬＭ方法。
【請求項１０】
処理ユニットと、リンク監視検定ユニットと、を備える端末デバイスであって、
前記処理ユニットは、前記端末デバイスのチャネル品質に基づいて、第１のＲＬＭパラメータセット及び第２のＲＬＭパラメータセットから目標ＲＬＭパラメータセットを選択するように構成され、
前記リンク監視検定ユニットは、前記処理ユニットにより選択された前記目標ＲＬＭパラメータセットに基づいて前記ＲＬＭを行うように構成される
ことを特徴とする端末デバイス。
【請求項１１】
前記第１のＲＬＭパラメータセットと前記第２のＲＬＭパラメータセットは、
ＲＬＭの評価周期、同期ＩＳ指示を報告するか否かを決定するための同期閾値Ｑｉｎ、同期外れＯＯＳ指示を報告するか否かを決定するための同期外れ閾値Ｑｏｕｔ、タイマＴ３１０を開始するか否かを判断するために連続的に報告するＯＯＳ指示の数を記録するためのカウンターＮ３１０、及びタイマＴ３１０がタイムアウトする前にタイマＴ３１０を停止するか否かを判断するために連続的に報告するＩＳ指示の数を記録するためのカウンターＮ３１１のうちの少なくとも１つパラメータを含み、
前記第１のＲＬＭパラメータセットに含まれるパラメータと前記第２のＲＬＭパラメータセットに含まれるパラメータとは、少なくとも１つパラメータが異なる
ことを特徴とする請求項１０に記載の端末デバイス。
【請求項１２】
前記処理ユニットは、
前記端末デバイスのチャネル品質の測定値が前記第１の閾値以上である場合、前記第１のＲＬＭパラメータセットを前記目標ＲＬＭパラメータセットとして選択し、及び／又は、
前記端末デバイスのチャネル品質の測定値が前記第１の閾値以下である場合、前記第２のＲＬＭパラメータセットを前記目標ＲＬＭパラメータセットとして選択するように構成される
ことを特徴とする請求項１０又は１１に記載の端末デバイス。
【請求項１３】
前記端末デバイスのチャネル品質の測定値は、
参照信号受信電力ＲＳＲＰ、参照信号受信品質ＲＳＲＱ、参照信号の信号対干渉プラス雑音比ＲＳ−ＳＩＮＲのうちの少なくとも１つを含む
ことを特徴とする請求項１２に記載の端末デバイス。
【請求項１４】
前記端末デバイスが取得ユニットをさらに含み、
前記取得ユニットは、構成情報を取得するように構成され、
前記構成情報は、第１の閾値、前記第１のＲＬＭパラメータセット及び前記第２のＲＬＭパラメータセットのうちの少なくとも１つを含み、
前記端末デバイスが受信ユニットをさらに含み、
前記取得ユニットは、
前記受信ユニットを介してネットワークデバイスにより送信された前記構成情報を受信し、又は、
前記端末デバイスに予め記憶する前記構成情報を取得するように構成される
ことを特徴とする請求項１０〜１３のいずれか１項に記載の端末デバイス。
【請求項１５】
決定ユニットと、送信ユニットと、を備えるネットワークデバイスであって、
前記決定ユニットは、構成情報を決定するように構成され、前記構成情報が第１のＲＬＭパラメータセット及び第２のＲＬＭパラメータセットを含み、前記第１のＲＬＭパラメータセットと前記第２のＲＬＭパラメータセットとは、前記端末デバイスが前記端末デバイスのチャネル品質に基づいて前記ＲＬＭを行うための目標ＲＬＭパラメータセットを選択するために使用され、
前記送信ユニットは、端末デバイスに前記決定ユニットにより決定された前記構成情報を送信するように構成される
ことを特徴とするネットワークデバイス。
【請求項１６】
前記第１のＲＬＭパラメータセットと前記第２のＲＬＭパラメータセットは、
ＲＬＭの評価周期、同期ＩＳ指示を報告するか否かを決定するための同期閾値Ｑｉｎ、同期外れＯＯＳ指示を報告するか否かを決定するための同期外れ閾値Ｑｏｕｔ、タイマＴ３１０を開始するか否かを判断するために連続的に報告するＯＯＳ指示の数を記録するためのカウンターＮ３１０、及びタイマＴ３１０がタイムアウトする前にタイマＴ３１０を停止するか否かを判断するために連続的に報告するＩＳ指示の数を記録するためのカウンターＮ３１１のうちの少なくとも１つパラメータを含み、
前記第１のＲＬＭパラメータセットに含まれるパラメータと前記第２のＲＬＭパラメータセットに含まれるパラメータとは、少なくとも１つパラメータが異なる
ことを特徴とする請求項１５に記載のネットワークデバイス。
【請求項１７】
前記構成情報が第１の閾値をさらに含み、前記第１の閾値は、前記端末デバイスが前記端末デバイスのチャネル品質の測定値が第１の閾値以上である場合に前記第１のＲＬＭパラメータセットを前記目標パラメータセットとして選択し、及び／又は、前記端末デバイスのチャネル品質の測定値が前記第１の閾値以下である場合に前記第２のＲＬＭパラメータセットを前記目標パラメータセットとして選択するために使用される
ことを特徴とする請求項１５又は１６に記載のネットワークデバイス。
【請求項１８】
前記第１のＲＬＭパラメータセットにおけるカウンターＮ３１０の設定値が前記第２のＲＬＭパラメータセットにおけるカウンターＮ３１０の設定値よりも大きく、及び／又は、
前記第１のＲＬＭパラメータセットにおけるカウンターＮ３１１の設定値が前記第２のＲＬＭパラメータセットにおけるカウンターＮ３１１の設定値よりも小さく、及び／又は、
前記第１のＲＬＭパラメータセットにおけるタイマＴ３１０の時間長が前記第１のＲＬＭパラメータセットにおけるタイマＴ３１０の時間長よりも大きい
ことを特徴とする請求項１７に記載のネットワークデバイス。
【国際調査報告】
2021531673.tif 000011
2021531673.tif 000012
2021531673.tif 000013
2021531673.tif 000014